(57)【要約】      （修正有）【課題】イベント・展示会等への出展に際し、小間数による展示スペースの大小に応じた設営を可能にし、展示物・展示内容に添った各種の備品類の設置を選択して独自性あるものとでき、設営費用も事前に容易に認識できる組立式展示ブース装置を提供する。【解決手段】イベント・展示会場における少なくとも最小の展示スペースの小間を囲む大きさを備えた展示ブース本体１と、展示ブース本体に、展示品、展示内容に対応して展示ブース本体に設置されるよう予め用意されている数種類の設備、備品中から選択設置される少なくとも一つの備品類１１…とから成る。展示ブース本体は、適数の小間の周囲を囲み、相互で連結される複数枚の側壁パネル１０から構成する。備品類は、来場者応接用、展示ディスプレー用、照明用、音響・映像用等の各用途に適したものが各種用意される。【選択図】図１
0003227118.tif 000002
【実用新案登録請求の範囲】
【請求項１】
イベント・展示会場における少なくとも最小の展示スペースの小間を囲む大きさを備えた展示ブース本体と、この展示ブース本体に、展示品、展示内容に対応して展示ブース本体に設置されるよう予め用意されている数種類の設備、備品中から選択設置される少なくとも一つの備品類とから成ることを特徴とする組立式展示ブース装置。
【請求項２】
展示ブース本体は、適数の小間の周囲を囲み、相互で連結される複数枚の側壁パネルから構成してある請求項１に記載の組立式展示ブース装置。
【請求項３】
備品類は、受付カウンター、展示台、展示台用ヒナ段、梁材、支柱、仕切り壁、この仕切り壁に組み込み可能な扉・アコーデオンカーテン、ディスプレー展示台、折り畳み椅子、スタンド椅子、テーブル、応接セット、物品棚、記名受けボックス、カタログスタンド、ショーケースの少なくともいずれか一つとしてある請求項１または２に記載の組立式展示ブース装置。
【請求項４】
展示ブース本体には、展示ブース本体における照明、電動式展示品に対応するよう電気工事に関連したＬＥＤによる照明器具、コンセント、音響・映像設備に関連したディスプレー装置、マイク・スピーカーセット、ディスプレーを組み込んだ映写台、照明装置付き展示パネル、アンドン型展示台の少なくともいずれか一つを付設して構成する請求項１乃至３のいずれかに記載の組立式展示ブース装置。
【請求項５】
展示ブース本体には、展示品、展示内容に対応して、アクリル板製のボックス状のカバー材、円盤型アンドン、柱状アンドン、アクリル板製展示台、アクリル板製の半球型展示台の少なくともいずれか一つが設置される請求項１乃至４のいずれかに記載の組立式展示ブース装置。
【請求項６】
展示ブース本体には、出展者を表示する出展者銘板を付設してある請求項１乃至５のいずれかに記載の組立式展示ブース装置。
【考案の詳細な説明】
【技術分野】
【０００１】
この考案は、主として各種のイベント・展示会等において、出展者が借用した小間、いわゆるブースに各種の展示物を展示し、また商談を実施する等のための囲いその他を設置するとき、小間の大小に応じた展示スペースを簡単に設営でき、しかも必要な備品等を予め用意されている備品類の中から選択することで出展者が要望する種々な仕様に対応できるばかりでなく、設営、撤去も簡単にできるようにした組立式展示ブース装置に関する。
【背景技術】
【０００２】
従来から、各種のイベント・展示会等に出展する出展者は、その展示スペースである小間を借用し、出展者の展示内容に合わせた展示ブースを構成している。この展示ブースを構成する部材として、周囲を囲む周囲パネル、出展者銘板、展示品を載置する展示台、そのディスプレー品、音響装置、受付カウンター、椅子、仕切りパネル、ドア材その他を展示内容、来場者応接態様等に応じて設置している。
【０００３】
その一例として特許文献１に示される組立式展示ブース、及びその構築方法が提案されている。この展示ブースは、格子型フレーム、バックパネル、サイドパネル、天井パネル等によって組み立てられ、これらのパネル相互の連結を簡単に行うことができるとする。
【先行技術文献】
【特許文献】
【０００４】
【特許文献１】特開２０１１−１２７３３８号公報
【考案の概要】
【考案が解決しようとする課題】
【０００５】
この特許文献１による組立式展示ブースでは、展示ブースの囲い等を容易に組立、更には解体ができるとしても、展示内容に応じて例えば受付カウンター、椅子その他の各種備品を用意しなければ、展示物等を来場者に強くアピールすることはできない。
【０００６】
また、出展者は、自己の展示をアピールするのに他社との差別化・訴求性等を強く意識し、要望するために、展示期間中のいわば一時的な設営であっても独自性を求める傾向がある。そうすると、設営業者が実施する設営展示費用が嵩み負担が大きくなり、しかも展示設営が短期間であることやその訴求効果が期待できない場合等があることを考えると、出展自体を断念することがある。
【０００７】
こうした現状を踏まえ、設営費用を節減でき、しかも出展者の意図する十分な訴求性が得られる独自性も演出できる安価な展示ブースとすることで、費用等の点で出展を躊躇していた出店希望者でも容易に設営業者に発注できるような、システム的に対応可能な展示ブース装置が要望されているのである。
【０００８】
そこでこの考案は叙上のような従来存した諸事情に鑑み案出されたもので、各種のイベント・展示会等において展示ブースを設けて出展するに際し、その小間数による展示スペースの大小に応じた設営を可能にし、展示内容に沿った各種の備品類の設置を選択して独自性あるものとすることができ、しかもこれらの設営規模、展示備品等の取捨選択によって、それぞれに応じた設営費用も容易に見積でき、またその変更、検討に伴う費用の再算出も簡単にし、出展者が負担する設営費用を安価なものにすることができる組立式展示ブース装置を提供することにある。
【課題を解決するための手段】
【０００９】
上述した課題を解決するため、この考案にあっては、イベント・展示会場における少なくとも最小の展示スペースの小間を囲む大きさを備えた展示ブース本体１と、この展示ブース本体１に、展示品、展示内容に対応して展示ブース本体１に設置されるよう予め用意されている数種類の設備、備品中から選択設置される少なくとも一つの備品類１１…とから成ることを特徴とする。
展示ブース本体１は、適数の小間の周囲を囲み、相互で連結される複数枚の側壁パネル１０から構成することができる。
備品類は、受付カウンター１１、展示台１２、展示台用ヒナ段１３、梁材１４、支柱１５、仕切り壁１６、この仕切り壁１６に組み込み可能な扉１７・アコーデオンカーテン１８、ディスプレー展示台１９、折り畳み椅子、スタンド椅子２２、テーブル２３、応接セット、物品棚２４、記名受けボックス、カタログスタンド、ショーケースの少なくともいずれか一つとして構成することができる。
展示ブース本体１には、展示ブース本体１における照明、電動式展示品に対応するよう電気工事に関連したＬＥＤによる照明器具２１、コンセント、音響・映像設備に関連したディスプレー装置、マイク・スピーカーセット、ディスプレーを組み込んだ映写台、照明装置付き展示パネル、アンドン型展示台の少なくともいずれか一つを付設して構成することができる。
また、展示ブース本体１には、展示品、展示内容に対応して、アクリル板製のボックス状のカバー材、円盤型アンドン、柱状アンドン、アクリル板製展示台、アクリル板製の半球型展示台の少なくともいずれか一つが設置されて構成することができる。
展示ブース本体１には、出展者を表示する出展者銘板２５を付設して構成することができる。
【００１０】
以上のように構成されたこの考案に係る組立式展示ブース装置にあって、イベント・展示会場において、出展者が展示スペースに合わせて展示ブースを設置するとき、展示スペースに対応した基本となる展示ブース本体１に各種の備品類１１…等を組み合わせることで簡単に設営でき、しかも設営業者から出展者に提示される設営費用を簡単に見積もりでき、事前の打ち合わせ等を容易にさせる。
展示ブース本体１は、展示スペースの大小、形状に合わせて適数枚の側壁パネル１０によって展示スペースの周囲を囲ませ、他者の展示スペースと区画させ、前面のみ開放あるいは角部側面開放のいずれにも対応させる。
この展示ブース本体１と共に用意される各種の備品類１１…は、出展者の展示物・展示内容に応じて各種の形状、形態が異なる什器類として使用させ、来場者の応接・商談、来場者に対する展示品、展示内容による異なる態様でのアピール、商品紹介等のカタログ類の頒布その他を円滑に実施させる。
【考案の効果】
【００１１】
この考案は以上説明したように構成されているため、イベント・展示会場において設営される展示ブースを、そのスペースの大小、形状に応じた展示ブース本体１の設営、展示品、展示内容に沿った独自性ある各種の備品類１１…の選択、設置等を容易に実施でき、しかもこれらのシステム的な組み合わせによる設営費用を事前の予測に基づく変更、検討を簡単に実施でき、出展者の要望に添う設営内容に対応し、設営業者が提示する見積費用の作成等に大いに役立てることができる。
【００１２】
すなわち、これはこの考案において、適数の小間を囲む大きさの展示ブース本体１に、展示品、展示内容に対応して選択設置される少なくとも一つの備品類１１…を組み合わせたからであり、これによって、出展者の要望に合わせてシステム的に組み合わせた展示構成、事前の予測による異なる展示内容の変更・選択、費用見積等を行うことができる。
【００１３】
また、各種の備品類１１…は、来場者との応接・商談に応じた各種の応接用品の中から、展示物・展示内容に応じた各種の展示用ディプレー用品の中から、照明態様に応じた各種の電気設備の中から、音響・映像効果を実現する各種の音響・映像設備の中からそれぞれ選択可能にして組み合わせられようにしてあることで、出展者が要望する種々な変化がある展示態様を構成することができる。
【００１４】
尚、設営業者においては、展示ブース本体１の大小、形状等によって基本的な設営費用を予め算出しておくのであり、また備品類１１…においては、その態様に応じてそれぞれのあるいは組み合わせた費用も予め算出しておく。こうすることで、出展者との設営内容を打ち合わせるにつき、出展者の要望に応じてその設営に係る費用を簡単、容易に事前に見積を算出可能にしてある。出展者において設営費用を予算化してあったり、要望に添う設営費用が不明確であったりしても、展示ブース本体１と備品類１１…との組み合わせを種々に変更することで、予算内での設営、更には出展者の要望に沿った展示構成を実現できる。
【００１５】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１６】
【図１】この考案を実施するための一形態を示す展示ブース本体の組立一例の斜視図である。
【図２】同じくその平面レイアウト図である。
【図３】同じく他の組立例の斜視図である。
【図４】同じくその平面レイアウト図である。
【図５】同じく各種の備品類を配置組み合わせたときの他例における平面レイアウト図である。
【図６】同じく受付カウンターの一例の斜視図である。
【図７】同じく展示台の一例の斜視図である。
【図８】同じく展示台用ヒナ上段の一例の斜視図である。
【図９】同じく梁材の一例の斜視図である。
【図１０】同じく支柱の一例の斜視図である。
【図１１】同じく仕切り壁における出入り口用の開閉具の斜視図で、その（Ａ）は扉、（Ｂ）はアコーデオンカーテンである。
【図１２】同じくモニター画面を備えたディスプレー装置の斜視図である。
【考案を実施するための形態】
【００１７】
以下、図面を参照してこの考案を実施するための一形態を説明すると、図において示される符号１は展示ブース本体であり、この展示ブース本体１は、イベント・展示会場における小間、例えば最小の展示スペースの小間を囲む大きさを備えた規格化された基本型をベースとしてあって、この展示スペースを囲むように周囲に立脚状に配され、相互間で適宜に連結される敵数枚の側壁パネル１０から成る。
【００１８】
また、この展示ブース本体１の設営と共に、展示ブース本体１内に展示される展示品、展示内容に応じて種々に組み合わせられる各種の備品類１１…が用意されている。そして、出展者においては、設営業者によって予め費用が算出されている展示スペースの大小、形状の設定によって構成される展示ブース本体１と共に、同様に設営業者によって予め費用が算出されている各種の備品類１１…を展示ブース本体１に組み合わせたときの合計の設営費用の見積がどの程度となるか、その変更に合わせても事前に把握できるようにしている。
【００１９】
そのため、上記の基本となる展示ブース本体１と、これに組み合わせられる各種の備品類１１…とを順次に説明するに、これらの設営費用は、それぞれ個別に算出されており、例えばレンタル対象用品として、設営業者から出展者に個別の価格表として提供されるものとなっており、組み合わせに対応して事前に認識できるようにしてある。
【００２０】
展示ブース本体１は、例えば図１に示すように、最小の展示スペースの小間に設置される構造とされるときに、この最小の展示スペースの周囲を囲繞するに足る適数枚の側壁パネル１０から成るのを基本としてある。そして、小間数に対応して、その複数の小間の合計スペースを囲繞するに足りる側壁パネル１０を用意することで、対応できるようにしてある。尚、側壁パネル１０は、例えば平面でほぼ正方形状を呈する最小の展示スペースの小間の一辺の幅員に対応した１枚構成とされる場合に限らず、複数枚で一辺に対応した幅員として構成される場合もあるが、本明細書においては１枚で構成されているものとして説明する。
【００２１】
図１、図２にあっては、例えば展示場において区画されている小間がコーナーである角隅部に位置されている場合に隣接する２方向が開放されていることで、２枚の側壁パネル１０によって平面から見てＬ字状に構成される場合である。また、図示を省略したが、正面のみが開放されているように、背部、両側部に配置される計３枚の側壁パネル１０によって平面から見てコ字状に構成される場合もある。
【００２２】
図３乃至図５にあっては、隣接する複数の小間を纏めた一つの展示スペースを囲繞する場合であり、一辺の長さ（幅員）に対応した複数枚の側壁パネル１０によって背部、側部が構成されるようにしてある。図例にあっては、最小の展示スペースの小間を隣接させて計２小間を一つの展示スペースとしたもので、背部は２小間分の合計辺の幅員とし、側部は１小間分の辺の幅員として構成した場合である。
【００２３】
もとより、複数小間を纏めた場合、その一辺の長さは、それぞれに対応した複数小間分の合計幅員として構成されるのであり、複数小間の組み合わせによる展示スペースの大きさ、形状に対応して側壁パネル１０が組み合わせられて連結される。いずれにしても、複数の小間から成る展示スペースでは、最小の基本型をベースとする展示ブース本体１を種々に組み合わせることで対応して構成できるようにしてある。
【００２４】
基本型の展示ブース本体１とは別に、展示に必要な各種の備品類１１…が別に用意されており、レイアウトその他に対応して展示ブース本体１に関連して適宜選択して組み合わせられるようにしている。これらの備品類１１…を具体的に説明すると、以下の通りである。
【００２５】
例えば受付カウンター１１として、図６に示されるように適宜な奥行き、幅員、高さを有する直方体状に構成されていて、例えば全面を白表具張りしてある。この受付カウンター１１は、異なる大きさのものが数種類用意されていて、その中から任意に選択できるようにしている。
【００２６】
展示台１２として、図７に示されるように適宜な奥行き、幅員、高さを有する基本的には直方体状に構成されていて、図示例のように背部には配布するカタログ等の宣伝書類を収納保管する保管棚１２Ａを有し、前面には表示部１２Ｂを設ける共に、例えば全面を白表具張りしてある。そして、大きさ、タイプが異なるものが数種類用意されていて、その中から任意に選択できるようにしている。
【００２７】
展示台用ヒナ段１３として、図８に示されるように適宜な奥行き、幅員、高さを有する直方体状に構成されていて、例えば全面を白表具張りしてある。そして、これらが異なる大きさのものが数種類用意されていて、展示台１２上に展示物を展示載置するとき、段状に段差を設定して展示するときなどに使用され、展示台１２上の載置箇所に応じて適宜大きさのものを任意に選択できるようにしている。
【００２８】
梁材１４として、図９に示されるように適宜な奥行き、幅員、高さを有するよう、例えば中空なボックス状にして、外形的には肉厚な帯状体に構成されていて、例えば全面を白表具張りしてある。そして、これらが異なる大きさのものが数種類用意されていて、設置される箇所に応じて適宜大きさのものを任意に選択できるようにしており、例えば側壁パネル１０相互間に架装されて後述する出展者銘板２５を掲示できるようにしている。
【００２９】
支柱１５として、図１０に示されるように所定幅員の断面で矩形状を呈する所定高さの角柱状に構成されていて、例えば紙管製本体の全面を白表具張りしてある。この支柱１５は１本で単独で使用される場合に限らず、図例のように所定間隔を配して左右で対状に配置し、支柱１５相互間に例えばモニター１５Ａを適宜高さ位置に連結設置できるようにしてもよい。
【００３０】
また、例えば図５に示すようにバックヤード、商談室等を区画構成する仕切り壁１６を設けた場合の出入り口用として、図１１に示されるように周囲枠と組み合わせられる扉１７（図１１（Ａ）参照）、同じく周囲枠と組み合わせられるアコーデオンカーテン１８（図１１（Ｂ）参照）等がある。
【００３１】
図１２に示されるように、モニター１５Ａを組み込み構成したディスプレー展示台１９も用意されており、例えば正面を傾斜させてモニター１５Ａを配置すると共に、背部にはケンドン扉を備えて構成してあり、コーナーなどに設置して来場者に強くアピールできるアイキャッチ効果を得られるようにしている。尚、モニター１５Ａの大小を異ならしめて複数種類が用意されている。
【００３２】
図示を省略した（尚、一般的に使用され、提供されているもので、特に構造的な特徴がないために図示を省略した。以下、同様）が、展示ブース本体１における照明、電動式展示品に対応するよう電気工事に関連して例えばＬＥＤによる照明器具２１、コンセント、音響・映像設備に関連してディスプレー（モニター）装置、マイク・スピーカーセット、ディスプレーを組み込んだ映写台、照明装置付き展示パネル、アンドン型展示台が用意されている。
【００３３】
そして、展示物用小物として、アクリル板製のボックス状のカバー材、円盤型アンドン、柱状アンドン、角部を輝かせるようにしたアクリル板製展示台、アクリル板製の半球型展示台があり、透明なあるいは適宜に着色したアクリル材にて構成しておくことで、照明を利用したディスプレーを可能にする。
【００３４】
また、その他の各種備品として、折り畳み椅子、スタンド椅子２２、円盤状あるいは矩形状等のテーブル２３、応接セット、例えばスチール製の物品棚２４、記名受けボックス、カタログスタンド、ショーケース等も用意されている。
【００３５】
更には、出展者を表示する出展者銘板２５が用意されるのであり、展示ブース本体１における掲示箇所に応じて種々のタイプのものを選択できるようにしている。
【００３６】
これらの設備、備品等を展示ブース本体１と組み合わせて設置した場合のレイアウト例が示された図１乃至図５によって具体的に説明すると以下の通りであるも、これらに限定されるものではない。
【００３７】
図１、図２に示されるレイアウト例は、展示会場におけるコーナーに位置する最小の展示スペースの小間に設置した場合であり、２方向を開放した平面でＬ字状に配置した側壁パネル１０から成る展示ブース本体１とし、上述した各種の設備、備品を選択して組み合わせて成る。すなわち、Ｌ字状に配置した側壁パネル１０の端部相互間を梁材１４によって連結することで側壁パネル１０を固定すると共に、適宜に照明器具２１を配置する。また、開放されているコーナー箇所に受付カウンター１１、スタンド椅子２２、一方の側壁パネル１０の前面に展示台１２、他方の側壁パネル１０の前面に円形状のテーブル２３、スタンド椅子２２をそれぞれ配置して構成してある。
【００３８】
図３、図４に示されるレイアウト例は、展示会場における例えば隣接する２小間を纏めた展示スペースに設置した場合であり、前面を開放した平面でコ字状に配置した側壁パネル１０から成る展示ブース本体１のみとし、備品その他は必要に応じて出展者が任意に搬入設置できるようにしたものである。
【００３９】
図５に示されるレイアウト例は、図３、図４に示された２小間を纏めた展示スペースとなる展示ブース本体１に、上述した各種の設備、備品を設置した場合である。すなわち、背部に隣接した小間の辺における幅員に対応した複数枚の側壁パネル１０、側部に側壁パネル１０等を連結して平面で横長な長方形状の展示スペースとなる展示ブース本体１とすると共に、適宜に照明器具２１を配置する。また、開放されている前面における一端側に受付カウンター１１、スタンド椅子２２を配置し、これの後方に仕切り壁１６、アコーデオンカーテン１８によって、物品棚２４を備えたバックヤードを区画構成し、背部の側壁パネル１０の前面には複数の展示台１２を配置して構成してある。
【００４０】
このように、イベント・展示会場における小間の大小に応じた展示ブース本体１を構成すると共に、展示物・展示内容に対応した各種の備品類１１…を選択して設置することで、出展者が要望する展示構成を実現できるのであり、また設営業者においては、これらを事前に用意しておき、出展者の要望に合わせて適宜に組み合わせて設営工事を実施すればよいのである。
【００４１】
イベント・展示が終了すれば、備品類１１…を搬出し、更に展示ブース本体１を解体、撤去すればよく、搬出、撤去した後の各種の部材は設営業者によって保管される。そして、他のイベント・展示会の開催に合わせて再度、出展者による設営の要望があったときに、これに対応して同様に施工するのであり、繰り返しの使用を可能にすることで、出展者が負担する出展費用を節減できるようにしている。
【符号の説明】
【００４２】
１…展示ブース本体
１０…側壁パネル
１１…受付カウンター
１２…展示台
１２Ａ…保管棚
１２Ｂ…表示部
１３…展示台用ヒナ段
１４…梁材
１５…支柱
１５Ａ…モニター
１６…仕切り壁
１７…扉
１８…アコーデオンカーテン
１９…ディスプレー展示台
２１…照明器具
２２…スタンド椅子
２３…テーブル
２４…物品棚
２５…出展者銘板
【図１】
0003227118.tif 000003
【図２】
0003227118.tif 000004
【図３】
0003227118.tif 000005
【図４】
0003227118.tif 000006
【図５】
0003227118.tif 000007
【図６】
0003227118.tif 000008
【図７】
0003227118.tif 000009
【図８】
0003227118.tif 000010
【図９】
0003227118.tif 000011
【図１０】
0003227118.tif 000012
【図１１】
0003227118.tif 000013
【図１２】
0003227118.tif 000014